(57)【特許請求の範囲】
【請求項１】
分電盤の内部に配設された主幹ブレーカの一次側に設けられて、前記主幹ブレーカに配線される一次側電線と一次送り回路に配線する一次送り電線を接続するための一次送り用端子台において、上下段違いに上片及び下片を形成した複数の端子座と、該端子座を支持する基台と、前記一次送り電線を前記端子座に接続する一次送り用端子ねじとで構成され、前記端子座の上片は前記基台から突出して設けられて前記主幹ブレーカの端子ねじ孔に対向し、前記主幹ブレーカの端子ねじが挿通して前記主幹ブレーカへの取り付けと前記一次側電線の接続を同時に行うための第一のねじ挿通孔を穿設し、前記端子座の下片には前記一次送り用端子ねじが挿通して前記一次送り電線の接続と端子座の基台への取り付けを同時に行うための第二のねじ挿通孔を穿設し、前記基台には前記端子座の下片を支持するための支持部と、該支持部の両端に隔壁を形成したことを特徴とする一次送り用端子台。
【発明の詳細な説明】
【０００１】
【産業上の利用分野】
本発明は、分電盤等等の主幹ブレーカに配線される一次側電線と一次送り回路に配線する一次送り電線を接続するための一次送り用端子台に関する。
【０００２】
【従来の技術】
従来、一本の一次側電線から二系統に分岐される場合、図６に示すように第一の主幹ブレーカ６１の一次側から第二の主幹ブレーカ６２の一次側に一次送り電線６３を接続して二系統に分岐している。一次送り電線６３は第一の主幹ブレーカ６１の一次側端子６４の端子ねじ６５と、第二の主幹ブレーカ６２の一次側端子６７の端子ねじ６８により接続している。また、第一の主幹ブレーカ６１には一次側電線６６も端子ねじ６５により接続している。
【０００３】
また、第一の主幹ブレーカの容量以上の一次側電線が第一の主幹ブレーカの一次側端子に接続される場合は、一次側電線が太く、一次側電線の先端に取り付けられた圧着端子が大きいため、主幹ブレーカの一次側端子に接続できない場合がある。この場合は、実用新案登録第２５４５１１７号公報に記載の一次送り用端子台（１）が用いられる。一次送り用端子台（１）は、第一の主幹ブレーカ（５）の一次側端子の一次側端子ねじ孔（５ａ）に対向するねじ挿通孔（３ａ）と、一次送り用端子ねじ孔（３ｃ）と、その中間に入線端子孔（３ｂ）を備えた端子座（３）と、複数の端子座（３），（３），（３）の両端に隔壁を備えた基台（２）とで構成され、端子座（３）のねじ挿通孔（３ａ）を第一の主幹スイッチ（５）の一次側端子ねじ孔（５ａ）に一次側端子ねじ（４ｅ）により螺着固定している。そして、一次送り電線（８）の一端を一次送り用端子ねじ孔（３ｃ）に一次送り用端子ねじ（４ａ）により螺着固定し、他端を第二の主幹ブレーカ（６）の一次側端子（６ａ）に一次側端子ねじ（４ｃ）により螺着固定している。また、一次側電線（７）を入線端子ねじ（４ｂ）により入線端子孔（３ｂ）に螺着固定している。基台（２）の隔壁間が広いため、一次側電線（７）に取り付けられた圧着端子（７ａ）が大きい場合でも接続することができる。
【０００４】
【発明が解決しようとする課題】
しかしながら、同一分電盤内で二系統の主幹ブレーカ６１，６２に分岐されている場合、分電盤の出荷時には主幹ブレーカ６１，６２間で一次送り電線６３により配線されているが、一次側電線６６は配線されないため、前述の一次送り構造では、現場で分電盤に一次側電線６６を接続する際に、第一の主幹ブレーカ６１に接続された一次送り電線６３を一旦取り外して、一次送り電線６３と一次側電線６６を接続しなければならず、作業性が悪いという欠点があった。また、一次送り電線６３と一次側電線６６を同時に第一の主幹ブレーカ６１に接続した場合、二本の電線の圧着端子が擦れ合い、端子ねじ６５が緩むという欠点があった。
【０００５】
また、後述の一次送り構造は、一次送り用端子台（１）に一次側電線（７）を接続するための入線端子孔（３ｂ）を備えているため、第一の主幹ブレーカ（５）と同容量の一次側電線（７）を接続する場合、一次送り用端子台（１）が大型化するとともに、一次送り用端子台（１）を設置する分電盤も大型化するという欠点があった。
【０００６】
【課題を解決するための手段】
上記従来の一次送り用端子台の問題点に鑑み、本発明の目的は、現場で主幹ブレーカに一次側電線を配線する際に一次送り電線を一旦取り外す必要がなく、小型化した一次送り用端子台を提供するもので、その構造は、分電盤の内部に配設された主幹ブレーカの一次側に設けられて、主幹ブレーカに配線される一次側電線と一次送り回路に配線する一次送り電線を接続するための一次送り用端子台において、上下段違いに上片及び下片を形成した複数の端子座と、端子座を支持する基台と、一次送り電線を端子座に接続する一次送り用端子ねじとで構成され、端子座の上片は基台から突出して設けられて主幹ブレーカの端子ねじ孔に対向し、主幹ブレーカの端子ねじが挿通して主幹ブレーカへの取り付けと一次側電線の接続を同時に行うための第一のねじ挿通孔を穿設し、端子座の下片には一次送り用端子ねじが挿通して一次送り電線の接続と端子座の基台への取り付けを同時に行うための第二のねじ挿通孔を穿設し、基台には端子座の下片を支持するための支持部と、支持部の両端に隔壁を形成したことである。
【０００７】
【発明の実施の形態】
一次送り用端子台は、端子座の両端を折曲して上片及び下片を形成し、上片に主幹ブレーカの端子ねじ孔に対向する第一のねじ挿通孔を穿設し、下片に第二のねじ挿通孔を穿設する。基台は、複数の端子座を支持部で支持し、支持部間及び支持部の両端に隔壁を形成する。一次送り電線は、圧着端子と下片の第二のねじ挿通孔に一次送り用端子ねじを挿通させて螺着固定する。一次側電線は、先端に取り付けられた圧着端子と上片の第一のねじ挿通孔に主幹ブレーカの端子ねじを挿通させて主幹ブレーカの一次側端子に一次送り用端子台と共に螺着固定する。
【０００８】
【実施例】
本発明に係る一次送り用端子台の実施例を図１〜図３の添付図面に基づいて説明する。
【０００９】
一次送り用端子台１は、導電体で形成した複数の端子座２，２，２と、端子座２，２，２を支持する絶縁体で形成した基台３と、一次送り電線４，４，４を端子座２，２，２に接続するための一次送り用端子ねじ５，５，５とで構成している。
【００１０】
端子座２は、両端を折曲して上片６及び下片７が形成され、上片６には主幹ブレーカ８の一次側端子９の端子ねじ孔１０に対向する第一のねじ挿通孔１１が穿設され、下片７には一次送り電線４を接続するための第二のねじ挿通孔１２が穿設されている。
【００１１】
基台３は、主幹ブレーカ８の幅寸法と略同一寸法に形成されて上面に複数の端子座２の下片７を支持するための支持部１３，１３，１３が並設され、支持部１３，１３間及び支持部１３の両端に隔壁１４，１４，１４，１４が形成されている。支持部１３の端部には端子座２の下片７が挿通するための端子座挿通孔１５が形成され、この端子座挿通孔１５に基台３の背面側から端子座２の下片７が挿通される。基台３の背面側に形成された隔壁１４，１４，１４，１４には、端子座２の垂片１６側に向けて一対の突起部１７，１７が夫々形成され、端子座２の垂片１６は突起部１７，１７により係止される。更に、中央部の隔壁１４，１４には基台３を分電盤に固定するための端子台取付ねじ挿通孔１８，１８が穿設されている。また、支持部１３には一次送り用端子ねじ５が挿通するための凹孔１９が穿設されている。
【００１２】
一次送り用端子台１の設置は、まず、分電盤の内部に設置された主幹ブレーカ８の端子ねじ孔１０に一次送り用端子台１の第一のねじ挿通孔１１を一致させ、端子ねじ２０により螺着固定する。次に一次送り用端子台１の端子台取付ねじ挿通孔１８に端子台取付ねじ２１を挿通させて分電盤の内部に螺着固定する。
【００１３】
一次送り電線４は、先端に圧着端子４ａが取り付けられ、この圧着端子４ａと端子座２の第二のねじ挿通孔１２に一次送り用端子ねじ５を挿通させて螺着固定する。また、一次送り電線４の他端は第二の主幹ブレーカ２２の一次側端子２３に接続される。
【００１４】
分電盤は、この状態で工場から出荷され、一次側電線２４は現場で配線される。第一の主幹ブレーカ８への一次側電線２４の接続は、主幹ブレーカ８の端子ねじ２０を取り外して、一次側電線２４の先端に取り付けられた圧着端子２４ａと一次送り用端子台１の第一のねじ挿通孔１１に端子ねじ２０を挿通させて主幹ブレーカ８の端子ねじ孔１０に螺着固定することにより行われる。
【００１５】
尚、主幹ブレーカの容量以上の一次側電線を接続する場合等で一次側電線の圧着端子が大きくて主幹ブレーカの一次側端子に接続できない時は、図４に示す一次送り用端子台３１を用いる。一次送り用端子台３１の端子座３２は、垂片が左右方向に移動し、更に下片３３の幅寸法が大きくなり、それに伴って隔壁３４，３４間は広がり、基台３５の幅寸法は大きくなっている。ここで、下片３３に穿設された第二のねじ挿通孔３６の左右位置は、上片３７の第一のねじ挿通孔３８とずれるように形成されている。このため、上片３７に電線を接続した後でも下片３３のねじが電線間から確認でき、ドライバ等の工具を使用することができるため、下片３３に電線を接続することが可能になり、一次送り電線３９は、工場出荷時に一次送り電線３９の圧着端子３９ａと一次送り用端子台３１の第一のねじ挿通孔３８に端子ねじ４０を挿通させて主幹ブレーカ４１の端子ねじ孔４２に螺着固定し、一次側電線４３は、現場で一次側電線４３の圧着端子４３ａと一次送り用端子台３１の第二のねじ挿通孔３６に一次送り用端子ねじ４４を挿通させて基台３５に螺着固定する。
【００１６】
また、本実施例において、一次送り用端子台の隔壁に端子台取付ねじ挿通孔を穿設して、端子台取付ねじにより分電盤に固定したが、図５に示すように一次送り用端子台５１の基台５２の両側面５３，５３を背面側に延設して係合凸部５４を形成すると共に、主幹ブレーカ５５の両側面５６，５６に係合凸部５４に対向する係合凹部５７を形成し、一次送り用端子台５１の係合凸部５４を主幹ブレーカ５５の係合凹部５７に嵌合させて固定する等、一次送り用端子台の固定方法に限定はない。
【００１７】
【発明の効果】
以上のように本発明に係る一次送り用端子台は、分電盤の内部に配設された主幹ブレーカの一次側に設けられて、主幹ブレーカに配線される一次側電線と一次送り回路に配線する一次送り電線を接続するための一次送り用端子台において、上下段違いに上片及び下片を形成した複数の端子座と、端子座を支持する基台と、一次送り電線を端子座に接続する一次送り用端子ねじとで構成され、端子座の上片はは基台から突出して設けられて主幹ブレーカの端子ねじ孔に対向し、主幹ブレーカの端子ねじが挿通して主幹ブレーカへの取り付けと一次側電線の接続を同時に行うための第一のねじ挿通孔を穿設し、端子座の下片には一次送り用端子ねじが挿通して一次送り電線の接続と端子座の基台への取り付けを同時に行うための第二のねじ挿通孔を穿設し、基台には端子座の下片を支持するための支持部と、支持部の両端に隔壁を形成したことにより、現場で主幹ブレーカに一次側電線を配線する際に一次送り電線を一旦取り外す必要がなく、また、一次側電線と一次送り用端子台の接続及び主幹ブレーカと一次送り用端子台の接続を共有して小型化したという優れた効果を有するものである。
【図面の簡単な説明】
【図１】本発明に係る一次送り用端子台を示す分解斜視図である。
【図２】本発明に係る一次送り用端子台を主幹ブレーカに取り付ける様子を示す斜視図である。
【図３】本発明に係る一次送り用端子台を使用方法を示す斜視図である。
【図４】本発明に係る一次送り用端子台の変形実施例を示す斜視図である。
【図５】本発明に係る一次送り用端子台の変形実施例を示す斜視図である。
【図６】従来の一次送り方法を示す正面図である。
【符号の説明】
１      一次送り用端子台
２      端子座
３      基台
４      一次送り電線
５      一次送り用端子ねじ
６      上片
７      下片
８      主幹ブレーカ
９      一次側端子
１０    端子ねじ孔
１１    第一のねじ挿通孔
１２    第二のねじ挿通孔
１３    支持部
１４    隔壁
１５    端子座挿通孔
１６    垂片
１７    突起部
１９    凹孔
２０    端子ねじ
２４    一次側電線
【図１】
0004471245.tif 000002
【図２】
0004471245.tif 000003
【図３】
0004471245.tif 000004
【図４】
0004471245.tif 000005
【図５】
0004471245.tif 000006
【図６】
0004471245.tif 000007